(57)【要約】回転式ダブル・ブレーク・スイッチの接触システムの改良配線構造は、可動接触子（１）と固定接触子（２）と短絡バスバー（３）とを備える。可動接触子（１）と固定接触子（２）との間の電気接続を回転の際に達成することができる。固定接触子（２）は、端子ネジ（４）を用いることにより短絡バスバー（３）に接続される。端子ネジ（４）は、周方向に沿ってワイヤが入ってくるのを可能にする。本発明は、断路器の現場設置における要求を満たすよう回転式ダブル・ブレーク断路器の接触システムの配線方向を柔軟に変更することができるように、配線方法を改良する。【選択図】図１
2019505085.tif 000002
【特許請求の範囲】
【請求項１】
可動接触子（１）と固定接触子（２）と短絡バスバー（３）とを備える回転式ダブル・ブレーク・スイッチの接触システムの改良配線構造であって、
前記可動接触子（１）と前記固定接触子（２）との間の電気接続を回転の際に達成することができ、
前記固定接触子（２）は、端子ネジ（４）を用いることにより前記短絡バスバー（３）に接続され、
前記端子ネジ（４）は、周方向に沿ってワイヤが入ってくるのを可能にする回転式ダブル・ブレーク・スイッチの接触システムの改良配線構造。
【請求項２】
請求項１に記載の回転式ダブル・ブレーク・スイッチの接触システムの改良配線構造であって、前記端子ネジ（４）の装着軸方向は前記可動接触子（１）の主軸に対して垂直である回転式ダブル・ブレーク・スイッチの接触システムの改良配線構造。
【請求項３】
請求項１に記載の回転式ダブル・ブレーク・スイッチの接触システムの改良配線構造であって、
前記短絡バスバー（３）は、板の両端を互いに逆方向に折り曲げた形状であり、
前記短絡バスバー（３）の二つの端部には端子ネジ装着バイアホール（３０１）が形成されており、
前記短絡バスバー（３）は、前記端子ネジ（４）を用いることにより前記固定接触子（２）の末端に係止されており、
前記固定接触子（２）の先端（２０２）は、前記可動接触子（１）のスロット（１０１）へと延設されており、
前記可動接触子（１）の回転の際に、接触端部（１０２）は電気接続を形成するよう前記固定接触子（２）の前記先端（２０２）と接触可能である回転式ダブル・ブレーク・スイッチの接触システムの改良配線構造。
【請求項４】
請求項１に記載の回転式ダブル・ブレーク・スイッチの接触システムの改良配線構造であって、
前記固定接触子（２）の末端（２０３）にはネジ孔（２０１）が形成されており、
前記固定接触子（２）の先端（２０２）は、接続部（２０４）によって前記末端（２０３）に接続される回転式ダブル・ブレーク・スイッチの接触システムの改良配線構造。
【請求項５】
請求項１に記載の回転式ダブル・ブレーク・スイッチの接触システムの改良配線構造であって、前記固定接触子（２）の先端（２０２）および末端（２０３）は、互いに対して垂直な平面構造である回転式ダブル・ブレーク・スイッチの接触システムの改良配線構造。
【請求項６】
請求項１に記載の回転式ダブル・ブレーク・スイッチの接触システムの改良配線構造であって、回転の際に、前記可動接触子（１）は、ダブル・ブレークを実現するために、二つの固定接触子（２）の先端（２０２）と接触可能である回転式ダブル・ブレーク・スイッチの接触システムの改良配線構造。
【請求項７】
請求項１に記載の回転式ダブル・ブレーク・スイッチの接触システムの改良配線構造であって、前記可動接触子（１）はカップリング（５）に装着される回転式ダブル・ブレーク・スイッチの接触システムの改良配線構造。
【請求項８】
請求項１に記載の回転式ダブル・ブレーク・スイッチの接触システムの改良配線構造であって、前記可動接触子（１）と前記固定接触子（２）と前記短絡バスバー（３）とは、基部（６）に装着される回転式ダブル・ブレーク・スイッチの接触システムの改良配線構造。
【請求項９】
請求項１に記載の回転式ダブル・ブレーク・スイッチの接触システムの改良配線構造であって、前記端子ネジ（４）と前記固定接触子（２）との間に挿入される接続ワイヤの配線角度が大きくなるよう、前記端子ネジ（４）が前記固定接触子（２）に接続される配線ポート（９）の底面（９１）は下方に向かって傾斜している回転式ダブル・ブレーク・スイッチの接触システムの改良配線構造。
【発明の詳細な説明】
【技術分野】
【０００１】
背景
本発明は、断路器技術の分野に関し、特に回転式ダブル・ブレーク・スイッチの接触システムの改良配線構造に関する。
関連技術
断路器は、高電圧スイッチ電気器具において最も使用されている電気器具である。断路器の主な特徴は、断路器が消弧容量を有しないこと、そして負荷電流がない場合に限り回路を閉じるまた開くはことにある。断路器は、すべてのクラスの電圧に用いられ、そして回路接続を変更するまたは電源から線もしくは装置を分離するために用いられる。断路器は、遮断容量を有しない、そして線が他の装置を用いることにより閉じられた後、動作を実行することだけができる。断路器は、スイッチが負荷に耐えるときに、誤動作を防止するために用いられる連動装置を通常有する。場合によっては、大きな異常の磁気的影響下でスイッチが切られてしまうのを防止するよう、ピンが必要とされる。回路システムにおいて、回路が異常である場合または回路上に改良保全を実行する必要がある場合、回路遮断器が作動する。この場合、断路器は、修理または改良保全の際に労働者の安全性を保証するために、低電流を遮断するまたは明らかな破損を提供する機能を果たす。一般に、断路器には二つのタイプがある。非密閉断路器とガス絶縁金属密閉断路器とである。非密閉断路器は、空気に直接曝されており、また、断路器のスイッチが切られる場合、明らかな破損を見つけることができるが、非密閉断路器はサイズが大きくそして比較的重い。ガス絶縁金属密閉断路器は、大きさが小さく、信頼性も高いので、広く用いられている。ガス絶縁金属密閉断路器は通常、三つの断路器単相を有する。それぞれの断路器単相は円筒本体を有する。可動接触子、固定接触子、および移動させるために可動接触子を駆動する伝動機構が、円筒本体内に配置される。電気的な駆動がほとんどの伝動機構に用いられている。しかしながら、ガス絶縁金属密閉断路器は密閉されているので、作業者は直接観察できず、ガス絶縁金属密閉断路器がブレーク状態にあるか否かを明確には判断できない。
【０００２】
現在、市場では、一般的な回転式ダブル・ブレーク断路器が入手できる。回転式ダブル・ブレーク断路器の接触システムの配線は、一方向にワイヤが入る方法で実装できるだけである。このため、回転式ダブル・ブレーク断路器の適用範囲は狭くなる。断路器の実装位置を変更する必要があるところでいくつかの特別の状況において、配線方向を調整できないために、断路器を適用できない場合がある。
【０００３】
要約
本発明の目的は、既存の回転式ダブル・ブレーク断路器の配線方向は一方であるという技術的欠点を解決する回転式ダブル・ブレーク断路器の接触システムの改良配線構造を提供することにある。断路器の現場設置における要求を満たすよう回転式ダブル・ブレーク断路器の接触システムの配線方向を柔軟に変更することができるように、配線方法を改良する。
【０００４】
技術的解決手段
上記技術的目的を達成するために、本発明において設計された回転式ダブル・ブレーク・スイッチの接触システムの改良配線構造は、可動接触子と固定接触子と短絡バスバーとを備える。可動接触子と固定接触子との間の電気接続を回転の際に達成することができる。端子ネジは周方向に沿ってワイヤが入ってくるのを可能にするよう、端子ネジを用いることにより、固定接触子は短絡バスバーに接続される。
【０００５】
さらに、端子ネジの装着軸方向は可動接触子の主軸に対して垂直である。
さらに、短絡バスバーは、板の両端を互いに逆方向に折り曲げた形状である。短絡バスバーの二つの端部には端子ネジ装着バイアホールが形成される。短絡バスバーは、端子ネジを用いることにより固定接触子の末端に係止される。固定接触子の先端は、可動接触子のスロットへと延設される。可動接触子の回転の際に、接触端部は電気接続を形成するよう固定接触子の先端と接触可能である。
【０００６】
さらに、固定接触子の末端にはネジ孔が形成される。固定接触子の先端は、接続部によって末端に接続される。
さらに、固定接触子の先端および末端は、互いに対して垂直な平面構造である。
【０００７】
さらに、回転の際に、可動接触子は、ダブル・ブレークを実現するために、固定接触子の先端と接触可能である。
さらに、可動接触子はカップリングに装着される。
【０００８】
さらに、可動接触子と固定接触子と短絡バスバーとは、基部に装着される。
さらに、端子ネジと固定接触子との間に挿入される接続ワイヤの配線角度が大きくなるよう、端子ネジが固定接触子に接続される配線ポートの底面は下方に向かって傾斜している。
【０００９】
有用な効果
本発明は、回転式ダブル・ブレーク・スイッチの接触システムの改良配線構造を提供する。端子ネジによって、周方向に沿ってワイヤが入ってくるのを可能にするよう、配線方法が変更される、すなわち、固定接触子が端子ネジを用いることにより短絡バスバーに接続される。こうして、断路器の現場設置における要求を満たすよう回転式ダブル・ブレーク断路器の接触システムの配線方向を柔軟に変更することができる。
【図面の簡単な説明】
【００１０】
図１は、本発明の実施形態の概略的な構造図である。
図２は、本発明の実施形態の概略的な分解組立図である。
図３は、本発明の実施形態にかかる短絡バスバーを装着する概略的な構造図である。
図４は、本発明の実施形態にかかる短絡バスバーの概略的な構造図である。
図５は、本発明の実施形態にかかる可動接触子の概略的な構造図である。
図６は、本発明の実施形態にかかる固定接触子の概略的な構造図である。
【００１１】
詳細な説明
以下に、添付図面および実施形態を参照して本発明をさらに説明する。
【００１２】
実施形態
図１および図２に示す通り、本発明において提供される回転式ダブル・ブレーク・スイッチの接触システムの改良配線構造は、可動接触子１と固定接触子２と短絡バスバー３とを備える。可動接触子１と固定接触子２との間の電気接続を回転の際に達成することができる。固定接触子２は、端子ネジ４を用いることにより短絡バスバー３に接続される。端子ネジ４は、周方向に沿ってワイヤが入ってくるのを可能にする。本実施形態において、ワイヤは外側（右側）から入る。
【００１３】
さらに図１を参照して、端子ネジ４の装着軸方向は可動接触子１の主軸に対して垂直である。可動接触子１と固定接触子２と短絡バスバー３とは、基部６に装着される。
図３および図４に示す通り、短絡バスバー３は、板の両端を互いに逆方向に折り曲げた形状である。短絡バスバー３の二つの端部はそれぞれ平面構造であり、互いに平行である。二つの端部は、その間にロッドまたは板構造を用いることにより接続される。それぞれの端部には端子ネジ装着バイアホール３０１が形成される。一方の端部は端子ネジ４を用いることにより固定接触子２の末端２０３に係止され、外部配線に用いることができる（図２および図６を参照）。他方の端部３０５は基部６の接続スロット８へと延設され、必要に応じて組み合わせて用いられる他の回転式ダブル・ブレーク・スイッチと適切に連結できる（電気接続できる）。固定接触子２の先端２０２は、可動接触子１のスロット１０１へと延設される。スロット１０１の面は、可動接触子１の主軸に対して垂直である。このように、可動接触子１の回転の際に、接触端部１０２は電気接続を形成するよう固定接触子２の先端２０２と接触可能である。本実施形態において、装着バイアホール孔３０１は閉じていない隙間（Ｕ字状部）であり、これにより、接続を行いやすくできる。あるいは周囲が閉じた孔を用いることができることも確かである。
【００１４】
さらに図１を参照して、端子ネジ４と固定接触子２との間に挿入される０°〜４５°の接続ワイヤの異なる配線角度を達成できるよう、したがって、配線角度を大きくし配線を行いやすくするよう、端子ネジ４が固定接触子２に接続される配線ポート９の底面９１は下方に向かって（基部の底面に向かって）傾斜している。既存のスイッチの高い底面は、基部６の面とほぼ平行であり、一方向の配線のみを実行することができる。
【００１５】
図６に示す通り、固定接触子２の末端にはネジ孔２０１が形成される。そして固定接触子２の先端２０２は、接続部２０４によって末端２０３に接続されている。本実施形態において、端子ネジ４が周方向に沿ってワイヤが入ってくるのを可能にするよう、固定接触子２の平面状先端２０２は、移行部としての接続部２０４を通じて末端２０３の面に対して垂直となっている。
【００１６】
さらに図５を参照して、回転の際に、可動接触子１は、ダブル・ブレークを実現するよう、二つの固定接触子２の先端２０２と接触することができる。（「ダブル・ブレーク」の意味について説明してください。「ダブル・ブレーク」が当該分野において一般的な名詞である場合、説明は必要ではありません）。
【００１７】
可動接触子１はカップリング５に装着される。
本発明において提供される回転式ダブル・ブレーク・スイッチの接触システムの改良配線構造によって、端子ネジ４が、周方向に沿ってワイヤが入ってくるのを可能にするよう、配線方法が改良される、すなわち、固定接触子２が端子ネジ４を用いることにより短絡バスバー３に接続される。こうして、種々の場所における本発明の断路器の現場設置における要求を満たすよう回転式ダブル・ブレーク断路器の接触システムの配線方向を柔軟に変更することができる。
【００１８】
実施形態の添付図面において示した構造、尺度、およびサイズは、明細書に開示した内容と組み合わせて当業者の理解し読みやすいように用いたに過ぎず、本願を適用しうる制約条件を制限することを意図しない。したがって、技術的に不可欠な意味ではない。本発明によって得られる効果および達成される目的に影響を与えることがない構造のあらゆる変形、縮尺関係のあらゆる変更、またはサイズのあらゆる調整は、本発明において開示された技術的な内容の範囲内である。さらに、明細書において用いる「上方」、「下方」、「左」、「右」、「中央」、「時計回り」、「反時計回り」などの語は説明を分かりやすくするためのものであり、本発明の実施範囲を制限することを意図しない。技術的な内容を基本的に変更することのない相対的な関係の変更または調整も本発明の範囲内にあることを記載しておく。
【図１】
2019505085.tif 000003
【図２】
2019505085.tif 000004
【図３】
2019505085.tif 000005
【図４】
2019505085.tif 000006
【図５】
2019505085.tif 000007
【図６】
2019505085.tif 000008
【国際調査報告】
2019505085.tif 000009
2019505085.tif 000010
2019505085.tif 000011
2019505085.tif 000012